(57)【要約】【課題】サンドウェッジ以上の番手数のアイアンクラブで短い飛距離のアプローチショットを行ったときには、ゴルフボールを止めやすく、サンドウェッジよりも小さい番手数のアイアンクラブでフルショットを行ったときには、安定した弾道及び適正な飛距離を得やすいアイアンクラブセットを提供する。【解決手段】サンドウェッジに形成されるスコアライン１４の開口縁部１６の曲率半径ｒ１を０．１ｍｍに設定し、残りの５番アイアンからアプローチウェッジまでに形成されるスコアライン１４の開口縁部１６の曲率半径ｒ２を０．３ｍｍに設定することにより、サンドウェッジによりアプローチショットを行うときのゴルフボールのスピンのかかりを良くすることができる一方、５番アイアン〜アプローチウェッジによりフルショットを行うときのゴルボールとの接触面積を大きくしてスピンを増大させることができる。【選択図】図２
2007007181.tif 000002
【特許請求の範囲】
【請求項１】
ヘッドのフェース面に複数のスコアラインが設けられた複数本のアイアンクラブから構成され、且つ、前記アイアンクラブのうち、少なくとも１本がロフト角５４°超であるアイアンクラブセットにおいて、
前記スコアラインの断面における前記フェース面側の開口縁部が円弧状に形成され、
ロフト角５４°超である前記アイアンクラブの前記開口縁部の曲率半径ｒ１が０．０１ｍｍ≦ｒ１＜０．２ｍｍに設定され、
ロフト角５４°以下である前記アイアンクラブの前記開口縁部の曲率半径ｒ２が０．２ｍｍ≦ｒ２≦０．５ｍｍに設定されることを特徴とするアイアンクラブセット。
【請求項２】
請求項１記載のアイアンクラブセットにおいて、
ロフト角５４°超である前記アイアンクラブは、サンドウェッジであることを特徴とするアイアンクラブセット。
【発明の詳細な説明】
【技術分野】
【０００１】
本発明は、複数本のアイアンクラブからなるアイアンクラブセットに関する。
【背景技術】
【０００２】
アイアンクラブセットを構成するアイアンクラブのうち、打球時に得られる飛距離が最も短く設定されているウェッジクラブ（一般的にはサンドウェッジ）には、飛距離が３０ヤード程度のアプローチショットを行ったときに、バックスピンをかけてゴルフボールを止めやすいことが要求される。
【０００３】
一方、ウェッジクラブよりも小さい番手数からなり、ウェッジクラブでのアプローチショットよりも長い飛距離を得るときに使用され、フルショットを行うことの多いアイアンクラブでは、、フルショット時にバックスピンをかけてゴルフボールを安定した弾道で飛ばすことができるとともに、コントロールしやすいことが要求される。このことから、上記ウェッジクラブとそれより小さい番手数のアイアンクラブとでは、異なるスピン性能を有するように設定する必要がある。
【０００４】
ところで、アイアンクラブヘッドのフェース面には、バックスピンをかけるのに寄与する複数本のスコアライン溝が形成されているが、アイアンクラブセットを構成する各アイアンクラブのスコアライン溝は、断面形状が同様に構成されるのが一般的である。この場合、スコアライン溝によるスピンへの影響は、各アイアンクラブで同じになるため、上述したように、ウェッジクラブとそれより小さい番手数のアイアンクラブとで、スピンのかかり方が異なるものにならず、スピン性能的に満足できるアイアンクラブセットが得られないという問題があった。
【０００５】
そこで、アイアンクラブセットにおいて、セット内に少なくとも２種類の異なる溝形状を有するものが提案されている。具体的には、ロングアイアン（１番〜４番アイアン）の溝形状がＶ型であり、ミドルアイアン（５番〜７番アイアン）の溝形状が台形型またはＵ型であり、ショートアイアン（８番アイアン〜サンドウェッジまたはロブウェッジ）の溝形状が四角型であるアイアンクラブセットが開示されている（特許文献１参照）。
【０００６】
【特許文献１】特開平８−３０８９５９号公報
【発明の開示】
【発明が解決しようとする課題】
【０００７】
しかしながら、上記した特許文献１での具体例では、ピッチングウェッジ、９番アイアン等と、サンドウェッジとで同様なスコアライン溝形状となっているため、フルショットのときにバックスピンが低下して弾道が不安定になることや、飛距離が長くなること等により、十分に満足できるスピン性能を有するアイアンクラブセットが得られないおそれがある。また、特許文献１には、サンドウェッジと、それよりも小さい番手数のアイアンクラブとの間で、スピンのかかり方を異ならせるという技術概念はまったく示唆されていない。
【０００８】
本発明は、サンドウェッジ以上の番手数のアイアンクラブで短い飛距離のアプローチショットを行ったときには、ゴルフボールを止めやすく、サンドウェッジよりも小さい番手数のアイアンクラブでフルショットを行ったときには、安定した弾道及び適正な飛距離を得やすいアイアンクラブセットを提供することを目的とする。
【課題を解決するための手段】
【０００９】
本発明に係るアイアンクラブセットは、ヘッドのフェース面に複数のスコアラインが設けられた複数本のアイアンクラブから構成され、且つ、前記アイアンクラブのうち、少なくとも１本がロフト角５４°超であるアイアンクラブセットにおいて、
前記スコアラインの断面における前記フェース面側の開口縁部が円弧状に形成され、
ロフト角５４°超である前記アイアンクラブの前記開口縁部の曲率半径ｒ１が０．０１ｍｍ≦ｒ１＜０．２ｍｍに設定され、
ロフト角５４°以下である前記アイアンクラブの前記開口縁部の曲率半径ｒ２が０．２ｍｍ≦ｒ２≦０．５ｍｍに設定されることを特徴とする。
【発明の効果】
【００１０】
本発明のアイアンクラブセットでは、ロフト角５４°超であるアイアンクラブにおけるスコアラインの開口縁部の曲率半径を、ロフト角５４°以下であるアイアンクラブの当該曲率半径よりも小さく設定することにより、アイアンクラブの番手数によらず、適切なスピン性能を得ることができる。
【００１１】
特に、サンドウェッジ以上の番手数のアイアンクラブで短い飛距離のアプローチショットを行ったときには、ゴルフボールを止めやすく、サンドウェッジよりも小さい番手数のアイアンクラブでフルショットを行ったときには、安定した弾道及び適正な飛距離を得やすい。
【発明を実施するための最良の形態】
【００１２】
図１Ａ及び図１Ｂは、本実施形態のアイアンクラブセットを構成するアイアンクラブのヘッド１０の正面図及び側面図を示す。ヘッド１０のフェース面１２には、複数のスコアライン１４が形成されている。フェース面１２の傾斜角度であるロフト角θは、各アイアンクラブによって異なっている。本実施形態のアイアンクラブセットでは、ロフト角θが２４゜〜４０゜である５番アイアン〜９番アイアンと、ロフト角θが４５゜であるピッチングウェッジ（ＰＷ）と、ロフト角θが５２°のアプローチウェッジ（ＡＷ）と、ロフト角θが５６°のサンドウェッジ（ＳＷ）とを組み合わせて構成している。
【００１３】
スコアライン１４は、図２Ａ及び図２Ｂに示すように、断面形状が略台形状に形成されており、スコアライン１４のフェース面１２側の開口縁部１６が円弧状となる。図２Ａは、サンドウェッジに形成されるスコアライン１４の断面形状を示し、その開口縁部１６の曲率半径ｒ１は、０．１ｍｍである。図２Ｂは、残りの５番アイアンからアプローチウェッジまでに形成されるスコアライン１４の断面形状を示し、各開口縁部１６の曲率半径ｒ２は、０．３ｍｍである。
【００１４】
スコアライン１４の開口縁部１６の曲率半径ｒ１、ｒ２を異ならせる手段としては、スコアライン１４をフェース面１２に彫刻した後、開口縁部１６を異なる仕様で研磨する方法を採用することができる。例えば、図２Ａに示すサンドウェッジの場合、開口縁部１６をバレル研磨によって０．１ｍｍの曲率半径ｒ１に仕上げ、図２Ｂに示すアプローチウェッジの場合、開口縁部１６をバフ研磨によって０．３ｍｍの曲率半径ｒ２に仕上げている。研磨方法としては、これらのバレル研磨及びバフ研磨を組み合わせることもできる。
【００１５】
なお、本実施形態では、サンドウェッジの曲率半径ｒ１を０．１ｍｍ、残りの５番アイアンからアプローチウェッジまでの曲率半径ｒ２を０．３ｍｍとしているが、曲率半径はこれらに限定されるものではなく、ロフト角５４°を境とし、ロフト角５４°超であるアイアンクラブの曲率半径ｒ１を０．０１ｍｍ≦ｒ１＜０．２ｍｍに設定し、ロフト角５４°以下であるアイアンクラブの曲率半径ｒ２を０．２ｍｍ≦ｒ２≦０．５ｍｍに設定することができる。なお、曲率半径ｒ１、ｒ２は、ゴルフクラブの規則上、０．５ｍｍを越えてはならないため、規則範囲内で効果が得られる範囲にそれぞれを規定している。
【００１６】
本実施形態のアイアンクラブセットのサンドウェッジは、スコアライン１４の開口縁部１６の曲率半径ｒ１を小さくすることで、ゴルフボールを殆んど変形させないアプローチショットを行うときのゴルフボールのスピンのかかりを良くすることができる。一方、５番アイアンからアプローチウェッジまでは、スコアライン１４の開口縁部１６の曲率半径ｒ２を大きくすることで、ゴルフボールを変形させるフルショットを行うときのゴルボールとの接触面積を大きくしてスピンを増大させることができる。
【００１７】
次に、本実施形態のアイアンクラブセットについて、実打試験を行った。この試験では、サンドウェッジとアプローチウェッジを使用して行い、スコアライン１４の開口縁部１６の曲率半径ｒ１、ｒ２をサンドウェッジ（ロフト角５６゜）、アプローチウェッジ（ロフト角５２゜）ともに０．１ｍｍに設定した場合（比較例１）のバックスピン量（ｒｐｍ）と、曲率半径ｒ１、ｒ２をサンドウェッジ（ロフト角５６゜）、アプローチウェッジ（ロフト角５２゜）ともに０．３ｍｍに設定した場合（比較例２）のバックスピン量（ｒｐｍ）と、本実施形態のバックスピン量（ｒｐｍ）とをテスターＡ、Ｂによって比べた結果を図３に示す。
【００１８】
この場合、サンドウェッジでは、開口縁部１６の曲率半径が小さいスコアライン１４を有するゴルフクラブにおいて、バックスピン量の増大が確認され、アプローチウェッジでは、開口縁部１６の曲率半径が大きいスコアライン１４を有するゴルフクラブにおいて、バックスピン量の増大が確認された。この結果から、フルショットを行うゴルフクラブでは、開口縁部１６の曲率半径を大きく設定する一方、アプローチショットを行うゴルフクラブでは、開口縁部１６の曲率半径を小さく設定することにより、所望のスピン特性を得ることができることが了解される。
【図面の簡単な説明】
【００１９】
【図１】図１Ａは、ヘッドの正面図、図１Ｂは、ヘッドの側面図である。
【図２】図２Ａは、サンドウェッジにおけるスコアラインの断面図、図２Ｂは、アプローチウェッジにおけるスコアラインの断面図である。
【図３】フルショット時におけるアプローチウェッジのバックスピン量と、アプローチショット時におけるサンドウェッジのバックスピン量の比較結果である。
【符号の説明】
【００２０】
１０…ヘッド            １２…フェース面
１４…スコアライン      １６…開口縁部
【図１】
2007007181.tif 000003
【図２】
2007007181.tif 000004
【図３】
2007007181.tif 000005